(57)【要約】【課題】  ロッカー装置にネットワークを接続することなく、簡易な構成で、ロッカー装置を解錠するための解錠コードの登録を行うロッカー装置及び解錠コードの登録方法を提供する。【解決手段】  利用者は、ロッカー装置１０に備えられた各種キーを用いて、部屋番号情報と、利用期間情報と、ロッカー利用コードとを入力する。すると、ロッカー装置１０に備えられた制御部は、上記ロッカー利用コードを部屋番号情報及び利用期間情報に基づいて所定のアルゴリズムにより別のコード情報である復号化情報に変換し、出力する。そして、ロッカー装置１０は、その出力した復号化情報について認証を行い、認証成功の場合には、解錠コードの登録を許可する。【選択図】        図１
2015151788.tif 000002
【特許請求の範囲】
【請求項１】
集合住宅等の建築物に設置され、パスワード等の解錠コードを入力すると、該入力された解錠コードと既に登録されている解錠コードとの間で認証を行い、該認証が成功すると、解錠を行うオフラインのロッカー装置であって、
１以上の文字等から構成されるロッカー利用コードと、前記ロッカー装置の利用内容を示す情報であるロッカー利用情報とが入力されると、前記ロッカー利用情報を用いて前記ロッカー利用コードを所定のコード情報である復号化情報に復号化し、該復号化情報に基づいて行った認証が成功すると、前記解錠コードの登録を許可することを特徴とするロッカー装置。
【請求項２】
前記ロッカー利用情報は、前記建築物の位置情報、前記ロッカー装置の利用が可能な期間を示す利用期間情報のうちの少なくとも１つであることを特徴とする請求項１記載のロッカー装置。
【請求項３】
前記解錠コードの登録を許可する際の認証に用いられる登録許可情報を格納し、
前記登録許可情報と前記復号化情報との間で認証を行い、認証が成功すると、前記解錠コードの登録を許可することを特徴とする請求項１又は２記載のロッカー装置。
【請求項４】
前記復号化情報に基づく認証が成功すると、該復号化情報に係る前記ロッカー利用コードを格納し、
前記格納されたロッカー利用コードと同一のものが入力された場合、前記コード情報の登録を許可しないことを特徴とする請求項１から３のいずれか１項に記載のロッカー装置。
【請求項５】
集合住宅等の建築物に設置され、パスワード等の解錠コードを入力すると、該入力された解錠コードと既に登録されている解錠コードとの間で認証を行い、該認証が成功すると、解錠を行うオフラインのロッカー装置において、前記解錠コードを登録する方法であって、
１以上の文字等から構成されるロッカー利用コードと、前記ロッカー装置の利用内容を示す情報であるロッカー利用情報とを入力する情報入力工程と、
前記ロッカー利用情報を用いて前記ロッカー利用コードを所定のコード情報である復号化情報に復号化し、該復号化情報に基づいて行った認証が成功すると、前記解錠コードの登録を許可する登録許可工程とを有することを特徴とする解錠コードの登録方法。
【請求項６】
前記ロッカー利用情報は、前記建築物の位置情報、前記ロッカー装置の利用が可能な期間を示す利用期間情報のうちの少なくとも１つであることを特徴とする請求項５記載の解錠コードの登録方法。
【請求項７】
前記登録許可工程は、前記ロッカー装置に格納されている登録許可情報と、前記復号化情報との間で認証を行い、認証が成功すると、前記解錠コードの登録を許可することを特徴とする請求項５又は６記載の解錠コードの登録方法。
【請求項８】
前記復号化情報に基づく認証が成功すると、該復号化情報に係る前記ロッカー利用コードを格納するロッカー利用コード格納工程をさらに有し、
前記登録許可工程は、前記格納されたロッカー利用コードと同一のものが入力された場合、前記コード情報の登録を許可しないことを特徴とする請求項５から７のいずれか１項に記載の解錠コードの登録方法。
【発明の詳細な説明】
【技術分野】
【０００１】
本発明は、ロッカー装置及び解錠コードの登録方法に関し、特に、ロッカー装置の解錠に必要な暗証情報の管理をオフラインで容易に行うロッカー装置及び解錠コードの登録方法に関する。
【背景技術】
【０００２】
近年、ＥＣサイトを介した通信販売の利用数の増加や、核家族化又は共稼ぎの増加等のライフスタイルの変化から自宅を留守にするケースが増加したこと等により、集合住宅や公共施設、商業施設等において宅配ロッカーやメールボックスの需要が急激に高まっている。
その宅配ロッカー等を利用する際、荷物の受取りや発送を行う利用者（集合住宅の居住者等）や、荷物の配送を行う配送業者は、例えば、部屋番号や暗証番号を入力して宅配ロッカー等を解錠し、荷物の預入や取出しを行っている。
【０００３】
また、防犯等の面から、上記宅配ロッカー等を解錠するための暗証番号の登録や変更を一定回数行うことが必要となる。
特に、上記宅配ロッカー等が賃貸集合住宅で利用される場合、利用者である居住者が頻繁に入れ替わる機会が多いので、上記宅配ロッカー等を解錠するための暗証番号の変更が必要となる機会もまた頻繁に生じる。
【０００４】
このような宅配ロッカー等の暗証番号の登録を行う従来技術の１つとして、特許文献１が開示するところの宅配ポスト管理システムが提案されている。
この特許文献１に記載の宅配ポスト管理システムは、ロッカーと利用者の電話機とがネットワークを介して接続されて構成されており、ロッカー内に収容された荷物を引き取る利用者は、電話機から現在のロッカーの暗証番号等を入力し、この暗証番号等をロッカーに送信することにより、暗証番号の変更を遠隔で行うことを可能にするというものである。
【先行技術文献】
【特許文献】
【０００５】
【特許文献１】特開平９−９１３５１
【発明の概要】
【発明が解決しようとする課題】
【０００６】
しかしながら、上述のように遠隔でロッカー解錠の暗証番号の変更を行う場合には、特許文献１に開示される宅配ポスト管理システムのように、ロッカーと端末を電話回線やインターネット等のネットワークで接続する必要があり、これらネットワークの敷設等のために多大なコストを要するという問題が生じる。
【０００７】
本発明は、上記問題点に鑑みてなされたものであり、ロッカー装置にネットワークを接続することなく、簡易な構成で、ロッカー装置を解錠するためのパスワード等の登録を行うロッカー装置及び解錠コードの登録方法を提供することを目的とする。
【課題を解決するための手段】
【０００８】
かかる目的を達成するため、本発明におけるロッカー装置は、集合住宅等の建築物に設置され、パスワード等の解錠コードを入力すると、入力された解錠コードと既に登録されている解錠コードとの間で認証を行い、認証が成功すると、解錠を行うオフラインのロッカー装置であって、１以上の文字等から構成されるロッカー利用コードと、ロッカー装置の利用内容を示す情報であるロッカー利用情報とが入力されると、ロッカー利用情報を用いてロッカー利用コードを所定のコード情報である復号化情報に復号化し、復号化情報に基づいて行った認証が成功すると、解錠コードの登録を許可することを特徴とする。
【０００９】
また、本発明におけるロッカー装置によれば、ロッカー利用情報は、建築物の位置情報、ロッカー装置の利用が可能な期間を示す利用期間情報のうちの少なくとも１つであることを特徴とする。
【００１０】
また、本発明におけるロッカー装置は、解錠コードの登録を許可する際の認証に用いられる登録許可情報を格納し、登録許可情報と復号化情報との間で認証を行い、認証が成功すると、解錠コードの登録を許可することを特徴とする。
【００１１】
また、本発明におけるロッカー装置は、復号化情報に基づく認証が成功すると、復号化情報に係るロッカー利用コードを格納し、格納されたロッカー利用コードと同一のものが入力された場合、コード情報の登録を許可しないことを特徴とする。
【００１２】
また、本発明における解錠コードの登録方法は、集合住宅等の建築物に設置され、パスワード等の解錠コードを入力すると、入力された解錠コードと既に登録されている解錠コードとの間で認証を行い、認証が成功すると、解錠を行うオフラインのロッカー装置において、解錠コードを登録する方法であって、１以上の文字等から構成されるロッカー利用コードと、ロッカー装置の利用内容を示す情報であるロッカー利用情報とを入力する情報入力工程と、ロッカー利用情報を用いてロッカー利用コードを所定のコード情報である復号化情報に復号化し、復号化情報に基づいて行った認証が成功すると、解錠コードの登録を許可する登録許可工程とを有することを特徴とする。
【００１３】
また、本発明における解錠コードの登録方法によれば、ロッカー利用情報は、建築物の位置情報、ロッカー装置の利用が可能な期間を示す利用期間情報のうちの少なくとも１つであることを特徴とする。
【００１４】
また、本発明における解錠コードの登録方法によれば、登録許可工程は、ロッカー装置に格納されている登録許可情報と、復号化情報との間で認証を行い、認証が成功すると、解錠コードの登録を許可することを特徴とする。
【００１５】
また、本発明における解錠コードの登録方法は、復号化情報に基づく認証が成功すると、復号化情報に係るロッカー利用コードを格納するロッカー利用コード格納工程をさらに有し、登録許可工程は、格納されたロッカー利用コードと同一のものが入力された場合、コード情報の登録を許可しないことを特徴とする。
【００１６】
なお、以上の構成要素の任意の組合せや、本発明の構成要素や表現を方法、装置、システム、コンピュータプログラム、コンピュータプログラムを格納した記録媒体などの間で相互に置換したものもまた、本発明の態様として有効である。
【発明の効果】
【００１７】
本発明は、１以上の文字等から構成されるロッカー利用コードと、ロッカー装置の利用内容を示す情報であるロッカー利用情報とが入力されると、ロッカー利用情報を用いてロッカー利用コードを所定のコード情報である復号化情報に復号化し、復号化情報に基づいて行った認証が成功すると、解錠コードの登録を許可するので、ロッカー装置にネットワークを接続することなく、簡易な構成で、ロッカー装置を解錠するための解錠コードの登録を行うことが可能となる。
【図面の簡単な説明】
【００１８】
【図１】本発明の実施の形態におけるロッカー装置の構成を示す図である。
【図２】本発明の実施の形態におけるロッカー装置の外観を示す図である。
【図３】本発明の実施の形態における情報格納部を示す図である。
【図４】本発明の実施の形態における解錠ＤＢにおいて管理されるデータ構成の一例を示す図である。
【図５】本発明の実施の形態における利用ＤＢにおいて管理されるデータ構成の一例を示す図である。
【図６】本発明の実施の形態におけるロッカー管理事業者端末の構成を示す図である。
【図７】本発明の実施の形態におけるロッカー管理事業者端末の情報格納部を示す図である。
【図８】本発明の実施の形態における登録許可情報ＤＢにおいて管理されるデータ構成の一例を示す図である。
【図９】本発明の実施の形態におけるロッカー利用コードの提供動作の流れを示す図である。
【図１０】本発明の実施の形態におけるロッカー装置による解錠コードの登録動作の流れを示すフローチャートである。
【図１１】本発明の実施の形態における部屋番号情報の入力画面の一例を示す図である。
【図１２】本発明の実施の形態におけるロッカー利用コードの入力画面の一例を示す図である。
【図１３】本発明の実施の形態における解錠コードの入力画面の一例を示す図である。
【図１４】本発明の実施の形態における利用期間の表示画面の一例を示す図である。
【図１５】本発明の実施の形態における解錠コードを用いた解錠動作の流れを示すフローチャートである。
【発明を実施するための形態】
【００１９】
（概要）
本発明の実施の形態におけるロッカー装置１０は、所定の建築物に設置され、宅配ロッカーサービスに利用されるものである。
宅配ロッカーサービスとは、利用者が留守時に利用者宛の配送物をロッカー装置１０に一時保管したり、配送を希望する配送物をコンビニエンスストア等の配送拠点に持ち込むことなく預け入れたりすることができるサービスである。
利用者は、この宅配ロッカーサービスを利用することにより、配送時に留守であったときでもロッカー装置１０が設置されている生活圏内（例えば居住する集合住宅）で配送物を受け取ったり、配送依頼する配送物を収納部に預け入れたりすることが可能となる。
このロッカー装置１０は、通常は施錠及び閉扉されており、パスワード等の解錠コードを入力することにより解錠及び開扉し、配送物の取り出し・預け入れを行うことが可能となる。
また、その解錠コードの入力による解錠を有効にするためには、ロッカー装置１０に予めその解錠コードを登録しておく必要がある。
本実施の形態では、利用者は、管理者側（宅配ロッカーサービスの管理事業者、集合住宅の管理事業者（管理人））に依頼することなく、ロッカー装置１０を直接操作して解錠コードの登録をオフラインで行うことを可能にしている。
以下、一例として、上記所定の建築物を集合住宅とし、利用者を集合住宅の居住者として説明を進める。
【００２０】
上記の解錠コードの登録は、具体的には以下のように行われる。
利用者は、上記解錠コードの登録を行うときには、ロッカー装置１０に備えられた各種キー（後述の操作部）を用いて、自分の居住する部屋の部屋番号を示す部屋番号情報と、解錠コードの登録前に予め宅配ロッカーサービスの管理事業者から郵送等の方法により通知される文字等の組み合わせによるロッカー利用コードとを入力する。
すると、ロッカー装置１０に備えられた制御部（ＣＰＵ）は、上記ロッカー利用コードを部屋番号情報に基づいて所定のアルゴリズムにより、別のコード情報である復号化情報と、ロッカー装置１０を用いた宅配ロッカーサービスの利用が可能な期間を示す利用期間情報とに変換し、出力する。
そして、ロッカー装置１０は、その出力した復号化情報について認証を行い、認証成功の場合には、解錠コードの登録を許可し、上記利用期間情報に示される期間分、宅配ロッカーサービスを利用することが可能となる。
【００２１】
（構成）
図１は、本発明の実施の形態におけるロッカー装置１０の構成を示す図である。
また、図２は、本発明の実施の形態におけるロッカー装置１０の外観を示す図である。
以下、これら図を用いて、ロッカー装置１０の構成について説明を進める。
【００２２】
図に示すように、ロッカー装置１０は、
ＣＰＵ等により構成されロッカー装置１０全体を制御する制御部１１と、
ロッカーボックス及び開閉可能な扉等から構成され荷物等を収納する収納部１２と、
収納部１２の扉を施錠・解錠する施解錠部１３と、
解錠に必要なパスワード等の解錠情報を格納する情報格納部１４と、
各種キー等から構成され解錠情報等を入力する操作部１５と、
画面表示を行う表示部１６とを有して構成される。
【００２３】
ロッカー装置１０は、例えば、集合住宅の共用部等に設置される宅配ロッカーである。
その集合住宅の居住者である利用者は、配送を希望する荷物をそのロッカー装置１０に預け入れたり、そのロッカー装置１０に収納された自分宛に配送された荷物を取り出したりする。
利用者は、そのロッカー装置１０の収納部１２の扉を解錠及び開扉させるとき、操作部１５を用いて上記解錠コードを入力する。
ロッカー装置１０は、その入力された解錠コードについて認証を行い、認証成功であれば収納部１２の扉を解錠し、開扉する。
【００２４】
また、配送業者は、上記利用者により預け入れられた配送物を取り出して配送先に配送したり、集合住宅の居住者宛の配送物を、その居住者が居住する集合住宅に設置されたロッカー装置１０に預け入れたりする。
配送業者は、認証コードが書き込まれたＩＣカード等の情報記録媒体を用いる等して収納部１２の扉を解錠する。
また、配送業者は、例えば配送先であるロッカー装置１０に配送物を届ける場合には、上記のような情報記録媒体を使用せずに、解錠状態の収納部１２（ロッカーボックス）に配送物を預け入れて施錠するようにしてもよい。
【００２５】
図３は、本発明の実施の形態における情報格納部１４示す図である。
図に示すように、情報格納部１４には、上記利用者により入力された部屋番号情報及び利用期間情報等に基づいて同じく入力されたロッカー利用コードを復号化する際に使用されるコード計算アルゴリズム１４１と、そのコード計算アルゴリズムを用いた計算の際に使用される情報及び登録された解錠コードを管理する解錠データベース（ＤＢ）１４２と、各収納部１２の現在の利用状況を示す情報を管理する利用データベース（ＤＢ）１４３とが格納されている。
【００２６】
コード計算アルゴリズム１４１は、上述の通り、部屋番号情報を用いて、ロッカー利用コードを別個のコード情報である復号化情報と、宅配ロッカーサービスの利用可能期間を示す利用期間情報とに変換して出力するアルゴリズムである。
これに加えて、コード計算アルゴリズム１４１は、情報格納部１４に格納されている変換用のテーブル（図示せず）等を用いたり、その他、情報格納部１４に予め格納されている数字との間で四則演算を行ったりして、上記復号化情報への変換を行うようにしてもよい。このようなテーブルによる変換や四則演算の方法については、従来の計算アルゴリズムの手法を用いる。
【００２７】
図４は、本発明の実施の形態における解錠ＤＢ１４２において管理されるデータ構成の一例を示す図である。
図に示すように、例えば、解錠ＤＢ１４２は、利用者の居住する部屋の番号を示す部屋番号情報にそれぞれ対応付けて、利用者がロッカー装置１０を解錠可能な期間（利用期間）を示す利用期間情報と、その利用期間の初日と、末日と、各部屋で現在有効なロッカー利用コードと、ロッカー利用コードを復号化した復号化情報の認証に用いられる登録許可情報と、ロッカー装置１０を解錠する際に入力が必要な解錠コードとを管理している。
【００２８】
図に示す例では、部屋番号１０１の利用者は、利用期間情報「９０（日間）」の宅配ロッカーサービスの利用を申し込み、解錠コード「１１２９」の登録を行っている。
解錠コードが登録され、宅配ロッカーサービスの利用開始が可能となると、制御部１１は、その入力された日を上記利用期間の初日として書き込み、その初日から利用期間が経過した日を上記末日として書き込む。
この利用期間の末日を経過すると、いわゆる「期限切れ」となり、利用者は、収納部１２の扉を原則解錠することができなくなる。
ただし、収納部１２内に配送物が収納されている場合には解錠ＤＢ１４２に現在登録されている解錠コードで解錠可能である。
【００２９】
また、登録許可情報は、例えば、集合住宅の各部屋の居住者が入れ替わる度に、又は定期的に書き替えられる。
書き替え方法としては、例えば、宅配ロッカーサービスの管理事業者が、操作部１５を操作して新たな登録許可情報を入力して更新する。
【００３０】
図５は、本発明の実施の形態における利用ＤＢ１４３において管理されるデータ構成の一例を示す図である。
【００３１】
図に示すように、例えば、利用ＤＢ１４３は、
各収納部１２のボックス番号と、上記部屋番号と、例えば荷物の預け入れ又は受け取りといった利用目的と、配送依頼先とを互いに対応付けて管理している。
【００３２】
図に示す例では、部屋番号１０１の利用者は、「○○宅配便」に配送依頼をし、その配送依頼をする配送物をボックス番号１の収納部１２に預け入れている。
【００３３】
また、図５の例では、「××宅配便」によって配送された部屋番号１０３の利用者宛の配送物が、ボックス番号４の収納部１２に預け入れられている。
【００３４】
宅配ロッカーサービスの管理事業者は、操作部１５を用いてパスワードを入力する等して認証を行うことにより、上記解錠ＤＢ１４２及び利用ＤＢ１４３のデータ内容を表示部１６に表示させてその内容を確認したり、各ＤＢ１４２，１４３に情報を登録したりすることができる。
また、宅配ロッカーサービスの管理事業者は、ロッカー装置１０にＵＳＢメモリ等の情報記録媒体を接続して、各ＤＢ１４２，１４３の情報をコピーしたり、ロッカー装置１０と自身の情報処理端末とをネットワークを介して接続したりすることにより、同じく各ＤＢ１４２，１４３のデータ内容を確認したり、情報を登録したりすることもできる。
【００３５】
（ロッカー管理事業者端末３０の構成）
ロッカー管理事業者端末３０は、宅配ロッカーサービスを利用者へ提供する宅配ロッカーサービスの管理事業者により操作される情報処理端末であり、例えば、ＰＣ、スマートフォン、携帯電話機、ＰＤＡ等の各種通信機能を備えた端末装置である。
【００３６】
宅配ロッカーサービスの管理事業者は、利用者から宅配ロッカーサービスの利用開始の申込みを受け付けたとき、利用者の部屋番号（情報）と、サービスの希望する利用期間（情報）と、利用するロッカー装置１０を識別するロッカー識別コードとを利用者から伝えられる。
次に、宅配ロッカーサービスの管理事業者は、ロッカー管理事業者端末３０を用い、上記部屋番号情報、利用期間情報及びロッカー識別コードに基づいて、ロッカー利用コードを生成し、郵送等の方法で利用者側へ伝える。
このロッカー利用コードは、利用者が宅配ロッカーサービスの利用を開始するために必要な文字列等からなるコード情報である。
その後、利用者は、ロッカー管理事業者端末３０により生成されたロッカー利用コードを用いて解錠コードの登録を行う。
このように、ロッカー管理事業者端末３０は、利用者による解錠コードの登録の際に必要なロッカー利用コードを生成に用いられる。
【００３７】
図６は、本発明の実施の形態におけるロッカー管理事業者端末３０の構成を示す図である。
図に示すように、ロッカー管理事業者端末３０は、ＣＰＵ等により構成されロッカー管理事業者端末３０全体を制御する制御部３１と、
情報を格納する情報格納部３２と、
ネットワーク１００を介して管理サーバ２０と情報の送受信を無線又は有線を介して行う通信部３３と、
数字キー等各種キーが設けられ、操作することにより情報の入力を行う操作部３４と、
情報の画面表示を行う表示部３５とを有して構成される。
【００３８】
図７は、本発明の実施の形態におけるロッカー管理事業者端末３０の情報格納部３２を示す図である。
図に示すように、情報格納部３２には、各ロッカー装置１０へ解錠コードを登録を行う際の認証に用いられる登録許可情報を管理する登録許可情報データベース（ＤＢ）３２１と、利用者から伝えられた部屋番号情報に基づいて登録許可情報及び利用期間情報をロッカー利用コードに変換する際に使用されるコード計算アルゴリズム３２２とが格納されている。
【００３９】
図８は、本発明の実施の形態における登録許可情報ＤＢ３２１において管理されるデータ構成の一例を示す図である。
図に示すように、登録許可情報ＤＢ３２１には、各ロッカー装置１０固有のロッカー識別コードに、登録許可情報が対応付けられて管理されている。
【００４０】
前述のコード計算アルゴリズム１４１は、ロッカー利用コードを登録許可情報に復号化する際に用いられる。これとは反対に、ロッカー管理事業者端末３０に格納されるコード計算アルゴリズム３２２は、登録許可情報及び利用期間情報をロッカー利用コードに暗号化する際に用いられる。
両アルゴリズム１４１，３２２ともに、変換の際には、部屋番号情報を用いる。
また、コード計算アルゴリズム３２２もまた、コード計算アルゴリズム１４１と同様に、情報格納部３２に格納されている変換用のテーブル（図示せず）等を用いたり、その他、情報格納部３２に予め格納されている数字との間で四則演算を行ったりして、上記登録許可情報への変換を行うようにしてもよい。このようなテーブルによる変換や四則演算の方法については、従来の計算アルゴリズムの手法を用いる。
【００４１】
（動作）
（１）ロッカー利用コードの提供動作
以下、本実施の形態におけるロッカー装置１０の動作について説明するが、一例として、ロッカー装置１０は、賃貸物件を含む集合住宅の共用部（エントランス等）に設置され、その集合住宅の居住者等が配送を依頼する配送物を預け入れたり、自分宛に配送された配送物を取り出したりする宅配ロッカーとして機能するものとする。
また、その集合住宅の居住者である利用者は、最近、当該集合住宅に引っ越して来て、今後、ロッカー装置１０の宅配ロッカーサービスを利用する予定であるとする。
【００４２】
図９は、本発明の実施の形態におけるロッカー利用コードの提供動作の流れを示す図である。
以下、図を用いて、宅配ロッカーサービスの管理事業者が、利用者から宅配ロッカーサービスの利用開始の申込みを受け付け、ロッカー装置１０の解錠コードの登録に必要なロッカー利用コードを利用者に提供するときの動作の流れについて説明する。
【００４３】
まず、利用者は、ＰＣや携帯端末等を用い、宅配ロッカーサービスの利用開始に必要な情報を入力し、これら入力した情報を宅配ロッカーサービスの管理事業者が管理するサーバ装置にインターネットを介して送信して登録する（ステップＳ１０１）。
ここで、宅配ロッカーサービスの利用開始に必要な情報とは、例えば、自身の居住する集合住宅の部屋番号を示す部屋番号情報と、宅配ロッカーサービスの利用を希望する期間を示す利用期間情報と、宅配ロッカーサービスに使用するロッカー装置１０の識別情報であるロッカー識別コードとを示す。
また、利用者は、上記とは別の方法により、宅配ロッカーサービスの利用開始に必要な情報を宅配ロッカーサービスの管理事業者に伝えるようにしてもよい。例えば、郵送、電子メール、ＦＡＸ又は電話等により伝えることができる。
【００４４】
次に、宅配ロッカーサービスの管理事業者は、ロッカー管理事業者端末３０を用いて、上記の自身が管理するサーバ装置にアクセスし、上記利用者により登録された各情報を参照し、当該利用者が宅配ロッカーサービスの利用開始を希望する旨を確認する（ステップＳ１０２）。
【００４５】
次に、宅配ロッカーサービスの管理事業者は、ロッカー管理事業者端末３０を用いて、上記参照したロッカー識別コードを入力すると、ロッカー管理事業者端末３０は、登録許可情報ＤＢ３２１を参照して、当該入力されたロッカー識別コードに対応付けられているロッカー装置１０の登録許可情報を抽出する（ステップＳ１０３）。
次に、宅配ロッカーサービスの管理事業者は、ロッカー管理事業者端末３０を用いて、上記参照した部屋番号情報及び利用期間情報を入力すると、その入力された部屋番号情報に基づき、コード計算アルゴリズム３２２を用いて、利用期間情報と上記抽出された登録許可情報を暗号化してロッカー利用コードを出力する（ステップＳ１０４）。
【００４６】
そして、宅配ロッカーサービスの管理事業者は、利用者に対して、上記コード計算アルゴリズム３２２に基づいて出力したロッカー利用コードを伝える（ステップＳ１０５）。
このロッカー利用コードを宅配ロッカーサービスの管理事業者から利用者側へ伝える方法としては、例えば、郵送、その他の配送方法、電子メール、ＦＡＸ、電話又はＷｅｂ上等の様々なものが採用できる。
電子メールで伝える場合には、宅配ロッカーサービスの管理事業者は、ロッカー管理事業者端末３０を用いて、利用者のＰＣや携帯端末等に送信する。
例えば、ロッカー利用コードを郵送やその他の配送方法により伝える場合には、そのロッカー利用コードが記載された書類等が申込み時の部屋番号の住所に届けられるので、部屋番号を偽って宅配ロッカーサービスの利用開始の申込みを行うことを防止することが可能となる。
以上で、ロッカー利用コードの提供動作を終了する。
これ以降、利用者は、宅配ロッカーサービスを利用するための解錠コードの登録が可能となる。
【００４７】
（２）解錠コードの登録動作
上述したように、ロッカー利用コードの利用者への提供が完了すると、利用者自らが解錠コードをオフラインで登録することが可能となる。
図１０は、本発明の実施の形態におけるロッカー装置１０による解錠コードの登録動作の流れを示すフローチャートである。
以下、本図に沿って、当該動作について説明する。
【００４８】
最初に、利用者は、上記伝えたロッカー識別コードのロッカー装置１０の設置場所を訪れ、操作部１５を操作して、部屋番号情報及び提供されたロッカー利用コードを入力する（ステップＳ２０１）。
【００４９】
図１１は、その部屋番号情報の入力画面の一例を示す図である。
図に示すように、部屋番号情報の入力画面上には、部屋番号情報の入力欄１０２と、操作部１５としてそれぞれ機能する入力キー１０１と、確認キー１０３と、キャンセルキー１０４とが表示される。
本実施の形態におけるロッカー装置１０の表示画面はタッチパネル式画面であり、表示部１６及び操作部１５として機能することができる。
【００５０】
利用者は、画面上の入力キー１０１（操作部１５）を用いて、自室の部屋番号を示す部屋番号情報を入力欄１０２に入力し、確認キー１０４を押下して、その入力を完了すると、表示部１６は、ロッカー利用コードの入力画面を表示する。
【００５１】
図１２は、そのロッカー利用コードの入力画面の一例を示す図である。
図に示すように、ロッカー利用コードの入力画面上には、ロッカー利用コードの入力欄３０２と、操作部１５としてそれぞれ機能する入力キー３０１と、確認キー３０３と、キャンセルキー３０４とが表示される。
利用者は、入力キー３０１（操作部１５）を用いて、宅配ロッカーサービスの管理事業者から伝えられたロッカー利用コードを入力欄３０２に入力し、確認キー３０４を押下して、その入力を完了すると、ロッカー装置１０の制御部１１は、解錠ＤＢ１４２を参照し、その入力されたロッカー利用コードが上記入力された部屋番号情報に対応付けて解錠ＤＢ１４２に登録されているか否かを判断する（ステップＳ２０２）。
【００５２】
制御部１１は、入力されたロッカー利用コードが解錠ＤＢ１４２に登録されている、すなわち、その入力されたロッカー利用コードと同一のものが以前に入力されたことがあると判断した場合（ステップＳ２０２／Ｙｅｓ）、使用済みのロッカー利用コードを用いて宅配ロッカーサービスの利用開始を行う等の不正行為が行われる可能性があるため、解錠コードの登録を許可することなく、そのまま動作を終了する。
【００５３】
一方、制御部１１は、その入力されたロッカー利用コードと同一のものが以前に入力されたことがないと判断した場合（ステップＳ２０２／Ｎｏ）、上記入力された部屋番号情報に基づき、コード計算アルゴリズム１４１を用いて、上記入力されたロッカー利用コードを復号化情報及び利用期間情報に復号化する（ステップＳ２０３）。
【００５４】
次に、制御部１１は、解錠ＤＢ１４２から該当する部屋番号情報の登録許可情報を抽出し、その抽出した登録許可情報を用いて、上記復号化情報について認証を行う（ステップＳ２０４）。
例えば、制御部１１は、上記復号化情報が登録許可情報と一致しているか否かを判断して、それぞれ認証が成功か失敗かを判断する。
ここで、制御部１１は、復号化情報と登録許可情報とが一致していないと判断した場合（ステップＳ２０４／Ｎｏ）、認証失敗とし、そのまま動作を終了する。
【００５５】
一方、制御部１１は、復号化情報と登録許可情報とが一致していると判断した場合（ステップＳ２０４／Ｙｅｓ）、認証成功とし、上記入力されたロッカー利用コードを解錠ＤＢ１４２に書き込む（ステップＳ２０５）。
【００５６】
次に、制御部１１は、宅配ロッカーサービスの利用期間の初日を現在の日にちとし、上記復号化された利用期間情報から利用期間の末日を計算し、これら利用期間情報、その初日・末日を解錠ＤＢ１４２に書き込む（ステップＳ２０６）。
【００５７】
次に、表示部１６は、解錠コードの入力画面を表示する（ステップＳ２０７）。
図１３は、その解錠コードの入力画面の一例を示す図である。
図に示すように、解錠コードの入力画面上には、解錠コードの入力欄４０２と、操作部１５としてそれぞれ機能する入力キー４０１と、確認キー４０３と、キャンセルキー４０４とが表示される。
利用者は、入力キー４０１（操作部１５）を用いて、解錠コードとして任意の文字等（図の例では４桁の数字）を入力する（ステップＳ２０８）。
【００５８】
利用者は、上記解錠コードの入力後に確認キー４０４を押下してその入力を完了すると、制御部１１は、ステップＳ２０１で入力された部屋番号に対応付けられて解錠ＤＢ１４２に登録されている過去の解錠コードを、その入力された新規の解錠コードに書き替えて登録し直す（ステップＳ２０９）。
ただし、解錠コードがその部屋番号に対応付けられてまだ登録されていない場合は、そのまま入力された解錠コードを該当部屋番号に対応付けて解錠ＤＢ１４２に登録する。
【００５９】
そして、表示部１６は、その登録された利用期間を画面上に表示する（ステップＳ２１０）。
図１４は、その利用期間の表示画面の一例を示す図である。
図に示す例では、画面上に表示された日にちまで、宅配ロッカーサービス利用の際に解錠コードで収納部１２の扉を解錠可能なことが示されている。
以上で、ロッカー装置１０による解錠コードの登録動作が終了する。
【００６０】
このように、利用者は、ロッカー利用コードが付与されると、宅配ロッカーサービスの管理事業者又は集合住宅の管理事業者（管理人）に連絡をとることなく、オフライン（スタンドアローン）のロッカー装置１０を用いて、容易に解錠コードの登録を行うことが可能となる。
【００６１】
また、ロッカー装置１０は、解錠ＤＢ１４２に登録済みのロッカー利用コードを再度入力しても、解錠コードの登録を許可しないので、宅配ロッカーサービスの不正利用を容易に防止することが可能となる。
【００６２】
（３）解錠コードを用いた解錠動作
上述のように、解錠コードの登録が完了すると、利用者は、その解錠コードを用いてロッカー装置１０の収納部１２の扉を解錠し、宅配ロッカーサービスを利用することが可能となる。
図１５は、その本発明の実施の形態における解錠コードを用いた解錠動作の流れを示すフローチャートである。
以下、本図に沿って、当該解錠動作の説明を進める。
【００６３】
まず、利用者は、利用開始申込み時に指定したロッカー識別情報のロッカー装置１０の設置場所を訪れ、操作部１５を操作して、自室の部屋番号情報を入力する（ステップＳ３０１）。
【００６４】
次に、利用者は、今回の宅配ロッカーサービスの利用目的を操作部１５を用いて入力する（ステップＳ３０２）。
例えば、「配送物の受取り」又は「配送物の配送依頼」等を入力する。
【００６５】
次に、利用者は、上述のように登録した解錠コードを操作部１５を用いて入力する（ステップＳ３０３）。
【００６６】
そうすると、ロッカー装置１０の制御部１１は、ステップＳ３０１で入力された部屋番号情報が解錠ＤＢ１４２に登録されているか否かを判断する（ステップＳ３０４）。
制御部１１は、その入力された部屋番号情報が解錠ＤＢ１４２に登録されていないと判断した場合には（ステップＳ３０４／Ｎｏ）、解錠動作を終了する。
【００６７】
一方、制御部１１は、その入力された部屋番号情報が解錠ＤＢ１４２に登録されていると判断した場合には（ステップＳ３０４／Ｙｅｓ）、ステップＳ３０３で入力された解錠コードと、解錠ＤＢ１４２においてその部屋番号情報に対応付けて登録されている解錠コードとを照合する（ステップＳ３０５）。
解錠コードを照合した結果、両解錠コードが不一致で認証が失敗した場合（ステップＳ３０５／Ｎｏ）、解錠動作を終了する。
【００６８】
一方、解錠コードを照合した結果、両解錠コードが一致して認証が成功した場合には（ステップＳ３０５／Ｙｅｓ）、ステップＳ３０２で入力された利用目的が「配送依頼」であるか否かを判断する（ステップＳ３０６）。
【００６９】
制御部１１は、その入力された利用目的が「配送依頼」ではない、すなわち「受取り」であると判断した場合（ステップＳ３０６／Ｎｏ）、現在使用していない収納部１２（ロッカーボックス）を検索し、施解錠部１３は、その使用していない収納部１２を解錠する（ステップＳ３０９）。
利用者は、その解錠し開扉した収納部１２から自分宛の配送物を取り出す。
【００７０】
一方、制御部１１は、その入力された利用目的が「配送依頼」であると判断した場合には（ステップＳ３０６／Ｙｅｓ）、現在使用していない収納部１２（ロッカーボックス）を検索し、表示部１６は、その使用していない収納部１２を画面上に表示する（ステップＳ３０７）。
利用者は、その画面上に表示された使用していない収納部１２から、預け入れる収納部１２を操作部１５を用いて選択する（ステップＳ３０８）。
すると、施解錠部１３は、その選択された使用していない収納部１２を解錠する（ステップＳ３０９）。
利用者は、その解錠し開扉した収納部１２に配送依頼する配送物を預け入れる。
【００７１】
このように、利用者は、登録又は更新した解錠コードを用いて、ロッカー装置１０の収納部の扉を解錠及び開扉させることができ、そのロッカー装置１０を用いて宅配ロッカーサービスを利用することが可能となる。
【００７２】
（実施の形態のまとめ）
以上説明したように、本実施の形態によれば、集合住宅の居住者等の利用者は、はじめに１度だけ部屋番号、利用期間及びロッカー識別コードを提示し、ロッカー利用コードを取得する手続きをするだけで、オフラインの簡易な構成のロッカー装置１０を用いて、解錠コードの登録を何度も容易に行うことが可能となる。
従って、利用者は、解錠コードの登録を行うとき、わざわざ宅配ロッカーサービスの管理事業者又は集合住宅の管理事業者（管理人）の下を訪れて登録の手続きを行うという煩雑な手続きを行う必要がない。特に、賃貸の物件の場合は、居住者の入れ替わりに応じて、解錠コードの新規登録が必須であるので、その効果は絶大である。
【００７３】
また、ロッカー装置１０は、入力された部屋番号、利用期間情報及びロッカー利用コードという複数の情報に基づいて認証を行うので、悪意のある第三者による利用を効果的に防ぐことができ、極めて高い防犯性を実現することが可能となる。
【００７４】
また、集合住宅の管理事業者（管理人）は、オフラインの簡易な構成のロッカー装置１０を集合住宅の共用部等に設置するだけで、上記の効果的な解錠コードの登録に係るサービスを利用者に提供することができ、集合住宅の物件の賃貸又は販売による利益を効率よく得ることが可能となる。
【００７５】
上記のロッカー装置１０、管理サーバ２０及びロッカー管理事業者端末３０は、主にＣＰＵとメモリにロードされたプログラムによって実現される。ただし、それ以外の任意のハードウェアおよびソフトウェアの組合せによってこの装置またはサーバを構成することも可能であり、その設計自由度の高さは当業者には容易に理解されるところである。
また、上記のロッカー装置１０、管理サーバ２０又はロッカー管理事業者端末３０をソフトウェアモジュール群として構成する場合、このプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【００７６】
なお、上記の実施例は本発明の好適な実施の一例であり、本発明の実施例は、これに限定されるものではなく、本発明の要旨を逸脱しない範囲において種々変形して実施することが可能となる。
【００７７】
例えば、上記実施の形態によれば、登録許可情報を暗号化する際、及びロッカー利用コードを復号化する際には、部屋番号情報及び利用期間情報の双方を用いていたが、これらロッカー装置１０の利用内容を示す情報（ロッカー利用情報）のうち一方のみを用いて、復号化及び暗号化を行うようにしてもよい。
この場合、部屋番号情報のみを用いて暗号化した場合は部屋番号情報のみを用いて復号化し、利用期間情報のみを用いて暗号化した場合は利用期間情報のみを用いて復号化を行う。
【００７８】
また、本実施の形態において、登録許可情報の暗号化、及びロッカー利用コードの復号化に、利用者の部屋番号を示す部屋番号情報を用いていたが、この部屋番号情報に代えて、他の情報を用いることができる。
例えば、直接部屋番号を表した情報ではなく、一見して部屋番号と認識できない暗号化された情報を用いてもよい。
また、部屋番号の他、建築物等の位置を表す情報を用いてもよい。
入力方法としては、利用者が操作部１５を用いて、部屋番号情報等を入力する他、それら部屋番号情報等が記録されたＩＣカード等の情報記録媒体をロッカー装置１０に赤外線等で読み取らせて入力するようにしてもよい。
【００７９】
また、上記実施の形態におけるロッカー装置１０は、集合住宅に設置されるが、この他、オフィスビルや商業施設等に設置され、宅配ロッカーサービスなどの各種サービスを提供するものであってもよい。
例えば、オフィスビルの場合は、部屋番号の代わりに階数やエリア番号等を用いてもよいし、商業施設の場合は階数やテナントのエリア番号等を用いてもよい。
【００８０】
また、上記実施の形態におけるロッカー装置１０は、利用者に対して宅配ロッカーサービスを提供するものであったが、その他のサービスを提供するためのものであってもよい。例えば、ロッカー装置１０の収納部１２に会議室、レンタサイクル又はレンタカーの鍵等の集合住宅の備品を収納しておき、これらを利用者に対して貸し出す備品レンタルサービスを提供するものであってもよい。
【符号の説明】
【００８１】
１０    ロッカー装置
１１，２１    制御部
１２    収納部
１３    施解錠部
１４，２４    情報格納部
１５    操作部
１６    表示部
１７，２７    通信部
２０    管理サーバ
３０    ロッカー管理事業者端末
１０１，３０１，４０１    入力キー
１０２，３０２，４０２    入力欄
１０３，３０３，４０３    確認キー
１０４，３０４，４０４    キャンセルキー
１４１    コード計算アルゴリズム
１４２    解錠ＤＢ
１４３    利用ＤＢ
【図１】
2015151788.tif 000003
【図２】
2015151788.tif 000004
【図３】
2015151788.tif 000005
【図４】
2015151788.tif 000006
【図５】
2015151788.tif 000007
【図６】
2015151788.tif 000008
【図７】
2015151788.tif 000009
【図８】
2015151788.tif 000010
【図９】
2015151788.tif 000011
【図１０】
2015151788.tif 000012
【図１１】
2015151788.tif 000013
【図１２】
2015151788.tif 000014
【図１３】
2015151788.tif 000015
【図１４】
2015151788.tif 000016
【図１５】
2015151788.tif 000017